(57)【要約】炭化水素燃料を実質的に純粋な水素ガスフィードに変換する多工程の方法を実施する装置は共通の反応チャンバー内に配置された複数の反応領域を含む。多段階の製法は燃料が反応し、水素に富んだガスを形成するように、燃料を反応チャンバーに供給し、反応器内に配置されたそれぞれの反応領域を中間ガス製品が通過して水素に富んだガスを製造する。
2004515444.tif 000002
【特許請求の範囲】
【請求項１】
炭化水素燃料フィードを水素に富んだガスに変換するコンパクトな燃料処理装置であって、
入口端と出口端を有するシリンダーであって、直列様式で複数の触媒によって充填され、こうして一連の反応領域を形成する該シリンダー；及び
入口端と出口端を有する熱交換器であって、特定の反応領域によって要求される、熱を供給または熱を除去するように、該シリンダーの長さを通して内部に置かれている熱交換器
を含む、上記燃料処理装置。
【請求項２】
該複数の触媒が自熱改質触媒、脱硫触媒、水性ガスシフト触媒および選択的な酸化触媒を含む、請求項１のコンパクトな燃料処理装置。
【請求項３】
該熱交換器が自熱改質触媒内に置かれていない、請求項２のコンパクトな燃料処理装置。
【請求項４】
該炭化水素燃料フィードがシリンダーに導入されるに先立って、該熱交換器を通すことによって予熱される、請求項２のコンパクトな燃料処理装置。
【請求項５】
該炭化水素が天然ガス、ガソリン、ディーゼル、燃料油、プロパン、液化石油、メタノール、エタノールおよびこれらの混合物からなる群から選択される、請求項２のコンパクトな燃料処理装置。
【請求項６】
該熱交換器の該入口端が該シリンダーの出口端にある、請求項１のコンパクトな燃料処理装置。
【請求項７】
該シリンダーが最上部にあるシリンダーの出口端に実質的に直角に向いている、請求項１のコンパクトな燃料処理装置。
【請求項８】
炭化水素燃料フィードを水素に富んだガスに変換するコンパクトな燃料処理装置であって、それが
反応チャンバー；
該反応チャンバー内の前もって定めれた複数の反応領域であって、各反応領域が反応領域内で起こる化学反応によって特徴づけられているもの；及び
入口端と出口端を有する熱交換器であって、反応チャンバー内に置かれている熱交換器
を含む、上記燃料処理装置。
【請求項９】
第一の反応領域が自熱改質触媒を含み、第二の反応領域が脱硫触媒を含み、第三の反応領域が水性ガスシフト触媒を含み、且つ反応領域モジュールが選択的酸化触媒を含む、請求項８のコンパクトな燃料処理装置。
【請求項１０】
該熱交換器が第一の反応領域内に置かれていない、請求項９のコンパクトな燃料処理装置。
【請求項１１】
該炭化水素燃料フィードが反応チャンバー内に導入されるに先立って、該熱交換器を通ることによって予熱される、請求項８のコンパクトな燃料処理装置。
【請求項１２】
炭化水素燃料フィード、空気および水の混合物が第一の反応チャンバー内に導入されるに先立って、該熱交換器を通ることによって予熱される、請求項８のコンパクトな燃料処理装置。
【請求項１３】
該熱交換器の該入口端が第４の反応領域にあり、該出口端が第２の反応領域にある、請求項９のコンパクトな燃料処理装置。
【請求項１４】
該複数の反応領域の各反応領域が自熱改質触媒、脱硫触媒、水性ガスシフト触媒および選択的酸化触媒からなる群から選択される１つ以上の触媒を含む、請求項８のコンパクトな燃料処理装置。
【請求項１５】
２つ以上の触媒を含む反応領域が隣接した反応領域から隔てられ、且つそれが透過性プレートで支持されている、請求項１４のコンパクトな燃料処理装置。
【請求項１６】
該プレートが穴あき金属、金属スクリーン、金属メッシュ、焼結金属および多孔性セラミックスからなる群から選択される、請求項１５のコンパクトな燃料処理装置。
【請求項１７】
該プレートがインコネル、カーボンスティールおよびステンレススティールからなる群から選択される材料である、請求項１６のコンパクトな燃料処理装置。
【発明の詳細な説明】
【０００１】
燃料電池は化学的酸化還元反応から電気を提供し、クリーンなことと効率の点で他の発電の形式に比べて大きな利点がある。通常燃料電池は燃料として水素を、酸化剤として酸素を用いる。発電は反応物の消費速度に比例する。
【０００２】
燃料電池のより広範な利用を阻む重大な欠点は水素の広範なインフラストラクチャーがないことである。水素は比較的低い容積エネルギー密度を有し、現在殆どの発電システムで使用されている炭化水素燃料に比べて貯蔵および輸送がより困難である。この困難を克服する１つの方法は、炭化水素を水素に富んだガス流に変換するリフォーマーの使用で、そのガス流を燃料電池のフィードとして使用できる。
【０００３】
天然ガス、ＬＰＧ，ガソリンおよびディーゼルのような炭化水素ベースの燃料を殆どの燃料電池の燃料源として使用するためには変換処理が必要である。現在の技術は最初の変換処理と複数のクリーンアップ処理を組み合わせた多数の処理を使用している。最初の処理は、大抵は水蒸気改質（ＳＲ）、自熱改質（ＡＴＲ）、触媒的部分酸化（ＣＰＯＸ）または非触媒的部分酸化（ＰＯＸ）である。クリーンアップ処理は通常脱硫、高温水性ガスシフト、低温水性ガスシフト、選択的ＣＯ酸化または選択的ＣＯメタン化からなる。代替の処理には水素選択性膜反応器およびフィルターが含まれる。
【０００４】
上に記載した技術にもかかわらず、炭化水素燃料を燃料電池とともに使用する水素に富んだガス流に変換する単純なユニットに対するニーズが残っている。
【０００５】
（発明の概要）
本発明は一般的に炭化水素燃料を水素に富んだガスに変換する装置と方法に向けられる。本発明の１つの例示的な実施形態において、炭化水素燃料フィードを水素に富んだガスに変換するコンパクトな燃料処理装置であって、燃料処理装置組立品（アセンブリー）は入口端と出口端を有するシリンダーであって、一連の反応領域を形成するように直列様式で複数の触媒により充填されているシリンダー、入口端と出口端を有する熱交換器であって、特定の反応領域によって要求される熱の供給または除去をするように、シリンダーの長さを通じて内部に置かれている該熱交換器を含む。そのような例示的な実施形態内における複数の触媒は、自熱改質触媒、脱硫触媒、水性ガスシフト触媒、選択的酸化触媒およびこれらの触媒および類似した触媒の組み合わせが含まれる。例示的な燃料処理装置に使用される炭化水素燃料フィードは、シリンダーに導入されるに先立って、熱交換器を通すことによって、または代替法として、自熱改質反応領域から１つの機能において上流に位置する燃料予熱ヒーターで予熱されることが好ましい。広範囲の炭化水素燃料を使用できるが、１つの例示的な実施形態では、炭化水素燃料は、天然ガス、ガソリン、ディーゼル、燃料油、プロパン、液化石油、メタノール、エタノールまたはその他の類似し、且つ適切な炭化水素およびそれらの混合物から選ばれる。
【０００６】
当業者は、本発明の他の例示的な実施形態は、炭化水素燃料フィードを水素に富んだガスに変換するコンパクトな燃料処理装置であって、それが１つの反応チャンバー；該反応チャンバー内の、各反応領域が反応領域内で起こる化学反応によって特徴づけられている、前もって定められた複数の反応領域；及び１つの入口端と１つの出口端を有する熱交換器であって、少なくとも部分的に反応チャンバー内に置かれている熱交換器からなる燃料処理装置を含むことを理解し、且つ評価すべきである。そのような１つの例示的な実施形態において、第一の反応領域は自熱改質触媒を含み、第二の反応領域は脱硫触媒を含み、第三の反応領域は水性ガスシフト触媒を含み、且つ反応領域モジュールは選択的酸化触媒を含む。そのような例示的な実施形態を考える時、熱交換器が第一の反応領域内に実質的に位置していないことが意図される。１つの例示的な実施形態では、炭化水素燃料フィードは、反応チャンバーに導入されるに先立って、熱交換器を通すことによって予熱される。代替法としては、炭化水素燃料フィード、空気および水の混合物が第一の反応領域に導入されるに先立って、熱交換器を通すことによって予熱される。上に記載した多種類の炭化水素燃料を使用してもよい。
【０００７】
当業者は複数の反応領域の各反応領域は１つ以上の触媒を含んでもよいことを評価すべきである。そのような例示的な１つの実施形態では、触媒は自熱改質触媒、脱硫触媒、水性ガスシフト触媒、選択的酸化触媒およびこれらの触媒および類似した触媒の混合物および組み合わせから選ばれる。２つ以上の触媒を含むいずれの特定の反応領域も、隣接した反応領域から透過性のプレートで隔てられ、そのプレートはまた隣接した反応領域を支持する働きをする。１つの例示的な実施形態では、そのプレートは穴あき金属、金属スクリーン、金属メッシュ、焼結金属および多孔性セラミックスまたはこれらの物質または類似した物質の組み合わせから選ばれる。そのような例示的な実施形態では、プレートが少なくとも部分的にインコネル、カーボンスティールおよびステンレススティールから構成されていることが好ましい。
【０００８】
本発明はまた炭化水素燃料を水素に富んだガスに変換する方法を含む。そのような例示的な１つの方法は本明細書中に開示した装置を利用する。そのような方法は一般に複数の触媒が充填されている反応チャンバーを有する燃料処理装置を提供することを含む。反応チャンバーを通る反応物ガスは、反応チャンバーの各領域が別個の反応領域の系列を形成する。予め定められた方法で炭化水素燃料を各反応領域を通して連続的にフィードすることによって、空間および熱移動の要件を最適化する方法で、水素に富むガスが製造される。
本発明を添付の図面に言及しながら説明する。
【０００９】
（発明の実施形態）
本発明は一般的に炭化水素燃料を水素に富んだガスに変換する装置に向けられる。好ましい態様において、本明細書中記載した装置と方法は、燃料電池に使用する炭化水素燃料から水素に富んだガスを製造するためのコンパクトな処理装置に関する。しかし、本明細書中に記載した装置と方法には、水素に富んだガス流が望まれるいずれの用途をも含む他の潜在的な用途が考えられる。従って、本明細書中では本発明は燃料電池とともに使用することが記載されているが、本発明の範囲はそのような用途に限定されない。
【００１０】
本発明のそれぞれの例示的実施形態では、燃料処理装置または燃料処理装置を通して向けられている炭化水素燃料フィードとともに、そのような燃料処理装置を使用するための製法について記載する。炭化水素燃料は蒸発できる限り、周囲条件で液体またはガスであってよい。本明細書中で使用されているように、「炭化水素」という用語は部分酸化または水蒸気改質反応から水素を製造できるＣ−Ｈ結合を有する有機化合物を含む。化合物の分子構造中に炭素と水素以外の原子が存在することは排除されない。従って本明細書中に開示した方法と装置に使用する適切な燃料には天然ガス、メタン、エタン、プロパン、ブタン、ナフサ、ガソリン、ディーゼル燃料のような炭化水素およびメタノール、エタノール、プロパノールおよび類似したアルコール類が含まれるが、これらに限定されない。
【００１１】
燃料処理装置フィードには炭化水素燃料、酸素および水が含まれる。酸素は空気、酸素が強化された空気または実質的に純粋な酸素の形であることができる。水は液体または蒸気として導入できる。フィード成分の組成割合は以下に記載する所望の操作条件によって決められる。
【００１２】
本発明の燃料処理装置からの流出物流は水素および二酸化炭素を含み、また、若干の水、未変換の炭化水素、一酸化炭素、不純物（例えば硫化水素およびアンモニア）および不活性成分（例えば、特に空気がフィード流の成分であった場合は、窒素およびアルゴン）を含むことができる。
【００１３】
図１は本発明の例示的な実施形態に含まれる処理工程を示す一般的な製法のフローダイアグラムを示す。当業者は本明細書中に開示した反応器を通る反応物の流れの中に一定量の漸進的な順序が必要であることを評価すべきある。
【００１４】
処理工程Ａは部分酸化（下式Ｉ）と任意の水蒸気改質の２つの反応（下式ＩＩ）が結合して、フィード流Ｆを水素と一酸化炭素を含む合成ガスに変換する自熱改質処理である。式ＩとＩＩはメタンが炭化水素として考えられている代表的な反応である。
ＣＨ４＋１／２Ｏ２  →  ２Ｈ２Ｏ＋ＣＯ  （Ｉ）
ＣＨ４＋Ｈ２Ｏ      →  ３Ｈ２＋ＣＯ    （ＩＩ）
【００１５】
部分酸化反応は加えられた酸素の完全な変換まで非常に急速に起こり、熱を発生する。水蒸気改質反応はよりゆっくり起こり、熱を消費する。フィード流中の酸素濃度が高いと部分酸化が起きやすく、水蒸気の濃度が高いと水蒸気改質が起きやすい。従って炭化水素に対する酸素の割合と炭化水素に対する水の割合が特徴的なパラメータになる。これらの割合は操作温度と水素の収量に影響する。
【００１６】
自熱改質工程の操作温度はフィードの条件と触媒によって、約５５０°Ｃから約９００°Ｃの範囲に亘ることができる。本発明は水蒸気改質触媒を使用しまたは使用せずに、部分酸化触媒の触媒床を使用する。触媒はペレット、球状、押し出し物、モノリスおよび類似の形状を含む任意の形状であってよい。部分酸化触媒は当業者には周知であり、モノリス、押し出し物、ペレットまたは他の支持体上のアルミナのウオッシュコート上の白金、パラジウム、ロジウムおよび／またはルテニウムのような貴金属からなる場合が多い。ニッケルやコバルトのような非貴金属が使用されている。文献にはチタニア、ジルコニア、シリカおよびマグネシアが引用されている。文献にはランタン、セリウムおよびカリウムが部分酸化触媒の性能を改善する「促進剤」として引用されている。
【００１７】
水蒸気改質触媒は当業者には周知であり、コバルトまたは白金、パラジウム、ロジウム、ルテニウムおよび／またはイリジウムのような貴金属を含んだ、ニッケルを含むことができる。触媒は、例えばマグネシア、アルミナ、シリカ、ジルコニアまたはマグネシウムアルミネート上で、単独または組み合わせて支持されることができる。代替法として、水蒸気改質触媒は、好ましくはマグネシア、アルミナ、シリカ、ジルコニアまたはマグネシウムアルミネート上で、単独または組み合わせて支持され、カリウムのようなアルカリ金属で促進されたニッケルを含むことができる。
【００１８】
処理工程Ｂは、処理工程Ａからの合成ガス流を次の工程に対して合成ガス流出物の温度を最適化するために、約２００°Ｃから約６００°Ｃに、好ましくは、約３００°Ｃから約５００°Ｃに、より好ましくは約３７５°Ｃから約４２５°Ｃに冷却するための冷却工程である。この冷却は設計の規格とガス流の熱含量の回収／リサイクルの必要性に応じてヒートシンク，ヒートパイプまたは熱交換で達成してもよい。工程Ｂの例示的な１つの実施形態は、熱交換器を通して循環される冷媒としてフィード流Ｆを利用する熱交換器の使用である。熱交換器はシェルおよびチューブ、プレート、螺旋等を含む当業者に周知の任意の適切な構造であることができる。代替法として、またはそれに加えて、冷却段階Ｂは燃料、空気または水のようなフィード成分を追加注入して達成できる。水は蒸気に蒸発する時の大量の熱を吸収する能力のために好ましい。追加される成分の量は所望の冷却の程度によって、当業者により容易に決定できる。
【００１９】
処理工程Ｃは精製段階である。炭化水素流の主な不純物の一つは硫黄であり、これは自熱改質工程Ａによって、硫化水素に変換される。処理工程Ｃで使用されるプロセッシングコアは硫化水素を吸収し変換する能力がある酸化亜鉛および／または他の物質を含むことが好ましく、支持体（例えばモノリス、押し出し物、ペレット等）を含んでもよい。脱硫は次の反応式ＩＩＩに従って、硫化水素を水に変換することによって達成される。
Ｈ２Ｓ＋ＺｎＯ  →  Ｈ２Ｏ＋ＺｎＳ    （ＩＩＩ）
【００２０】
塩化物のような他の不純物もまた除去できる。反応は約３００°Ｃから約５００°Ｃで行うのが好ましく、約３７５°Ｃから約４２５°Ｃがより好ましい。酸化亜鉛は約２５°Ｃから約７００°Ｃの広い温度範囲に亘って硫化水素の有効な吸収剤であり、操作温度を適切に選択することによって、処理工程の結果の最適化に大きな柔軟性を与える。
【００２１】
流出物流はついで混合工程Ｄに送ってもよく、そこでガス流に任意に水が加えられる。水の添加は、水が蒸発する時に、反応物流の温度を下げ、処理工程Ｅ（以下で考察する）の水性ガスシフト反応に対して、より多くの水を供給する。水蒸気と他の流出物流の成分は、有効に混合し、水の蒸発を助けるセラミックビーズまたは類似の物質のような不活性な物質のプロセッシングコアを通すことによって、混合される。代替法としては、フィードと共に、任意に水を追加して導入でき、下に記載したＣＯ酸化工程Ｇにおける酸化物ガスの良好な混合を提供するために混合工程を再配置できる。
【００２２】
処理工程Ｅは式ＩＶに従って一酸化炭素を二酸化炭素に変換する水性ガスシフト反応である。
Ｈ２Ｏ＋ＣＯ  →  Ｈ２＋ＣＯ２    （ＩＶ）
【００２３】
一酸化炭素はヒトに非常に毒性が高いことに加えて、燃料電池に対して毒物であるので、これは重要な段階である。一酸化炭素の濃度は、好ましくは、燃料電池が通常忍容できる５０ｐｐｍ未満のレベルにまで下げるべきである。一般に水性ガスシフト反応は使用する触媒に応じて、１５０°Ｃから６００°Ｃの温度で行うことができる。このような条件下で、ガス流中の殆どの一酸化炭素がこの段階で変換される。
【００２４】
低温シフト触媒は約１５０°Ｃから約３００°Ｃの温度の範囲で作用し、例えばジルコニアのような他の遷移金属酸化物上に支持された酸化銅または銅、遷移金属酸化物またはシリカ、アルミナ、ジルコニア等の耐火性支持体上に支持された亜鉛、またはシリカ、アルミナ、ジルコニア等のような適切な支持体上に支持された白金、レニウム、パラジウム、ロジウム、または金のような貴金属を含む。
【００２５】
高温シフト触媒は約３００°Ｃから約６００°Ｃの温度範囲で作動されるのが好ましく、酸化鉄または酸化クロムのような遷移金属酸化物および銅または鉄の珪化物を任意に含むことができる。支持された白金、パラジウムおよび／または他の白金群金属のような、支持された貴金属も高温シフト触媒として含められる。
【００２６】
この工程を実施するために使用されるプロセッシングコアは、上に記載したような高温または低温シフト触媒の充填床または高温および低温シフト触媒の組み合わせを含むことができる。この処理は使用される触媒の型に応じて、水性ガスシフト反応に適した任意の温度で操作されるべきで、１５０°Ｃから約４００°Ｃの温度で行うのが好ましい。
【００２７】
触媒の充填床内の反応温度を下げるために、冷却コイルのような冷却要素をシフト反応器のプロセッシングコア中に配置してもよい。低温ほど一酸化炭素の二酸化炭素への変換が起きやすい。また、精製処理工程Ｃは、高温および低温シフトの別の工程に、高温および低温シフト工程の間の脱硫モジュールを提供することによって、高シフトおよび低シフト変換の間で実施できる。
【００２８】
処理工程Ｆは、１つの実施形態において、熱交換器によって行われる冷却段階である。熱交換器はシェルおよびチューブ、プレート、螺旋等を含む任意の適切な構造であることができる。代替法としては、ヒートパイプまたはヒートシンクの他の形を使用してもよい。熱交換器の目的はガス流の温度を下げて、好ましくは約９０°Ｃから約１５０°Ｃの範囲にある温度を有する流出物を製造することである。
【００２９】
段階Ｆの処理に酸素が加えられる。酸素は下に記載した処理工程Ｇの反応によって消費される。酸素は空気、濃縮空気または実質的に純粋な酸素の形であることができる。熱交換器は設計によって、空気と水素に富んだガスとの混合物を提供できる。代替法としては、混合の実施に処理工程Ｄの実施形態を使用してもよい。
【００３０】
処理工程Ｇは流出物流中に残存する殆どすべての一酸化炭素が二酸化炭素に変換される酸化段階である。処理は一酸化炭素の酸化触媒の存在下で実施され、触媒はペレット、球状、モノリス等の任意の適切な形であってよい。一酸化炭素の酸化触媒は周知であり、通常貴金属（例えば白金、パラジウム）および／または遷移金属（例えば鉄、クロム、マンガン）および／または貴金属または遷移金属の化合物、特に酸化物を含む。選択的な酸化触媒はアルミナウオッシュコート上の白金である。ウオッシュコートをモノリス、押し出し物、ペレットまたは他の支持体に適用してもよい。性能を改善するためにセリウムまたはランタンのような物質を更に加えることができる。その他の多くの製剤が文献に引用されており、何人かの実施者はロジウムまたはアルミナ触媒の優れた性能を主張している。この用途に活性があるとして、ルテニウム、パラジウム、金およびその他の物質が文献に引用されている。
【００３１】
２つの反応が処理工程Ｇで起きる。即ち、次に示す、一酸化炭素の望ましい酸化（式Ｖ）と水素の望ましくない酸化（式ＶＩ）である：
ＣＯ＋１／２Ｏ２  →  ＣＯ２    （Ｉ）
Ｈ２＋１／２Ｏ２   →  Ｈ２Ｏ    （ＩＩ）
一酸化炭素の選択的な酸化は低温で起きやすい。両反応は熱を発生するので、処理内に配置された冷却コイルのような冷却要素を任意に含むことが有利である。処理の操作温度は約９０°Ｃから約１５０°Ｃの範囲に保つことが好ましい。処理工程Ｇでは一酸化炭素のレベルを、燃料電池の使用に適したレベルである５０ｐｐｍ未満に下げることが好ましいが、当業者は、本発明が高レベルおよび低レベルの一酸化炭素を有する水素に富んだ製品を製造するのに適応できることを評価すべきである。
【００３２】
燃料処理装置を出る流出物は、二酸化炭素、および水、不活性成分（例えば窒素、アルゴン）、残存炭化水素等のような存在する可能性のある他の構成要素を含む、水素に富んだガスである。製品ガスは燃料電池、または水素に富んだフィード流が望まれる他の用途のためのフィードとして用いられる。製品ガスは、任意に、例えば二酸化炭素、水、または他の成分を除去するために更なる処理に送ってもよい。
【００３３】
図２は本発明の例示的実施形態である燃料処理装置２０の断面図を示す。当業者はコイル状チュービング熱交換器２０２の入口端に燃料、または替わりに燃料／酸素または替わりに燃料／酸素／水混合物２００が導入されることを理解し、評価すべきである。熱交換器は、熱交換器が実質的に燃料処理装置の長さに延在するように、燃料処理装置内に置かれる。熱交換器は燃料を予熱するとともに、様々な反応領域を冷却／管理する。当業者は、燃料の流速、燃料の熱容量、任意の特定の反応領域に存在するコイル数、コイルを作るために使用したチュービングの直径、コイル上のひれの有無およびその他の多数の因子が熱移動処理に影響することを評価すべきである。しかし、そのような熱移動の要件は日常的な計算と実験を通して最適化できる。予熱された燃料は熱交換器を離れ、反応フィードチューブ２０４によって、第一の反応領域２０８に導かれる。反応器フィードチューブは第一の反応領域２０８への導入に先立って、燃料混合物を適切に調節し、最適化するために流れ制御装置および類似物を含むことができる。この例示的な実施形態の第一の反応領域２０８は自熱改質反応触媒で充填されている。そのような触媒はペレットの形であってもよくまたはモノリス上に支持されていてもよい。ある場合は第一の反応領域全体への燃料の均等な分布を達成するために分布プレート２０６が必要になる可能性がある。また、燃料処理装置の始動において、任意に電気的予熱ヒータ（示していない）を使用してもよい。燃料が第一の反応領域で反応して、水素に富んだガスを形成した後、圧力によるガスの自然な流れは、水素に富んだガスを第二の反応領域へ流す。この例示的な実施形態において、第二の反応領域は脱硫触媒、好ましくは酸化亜鉛で充填されている。水素に富んだガスが酸化亜鉛のような脱硫触媒上を通過すると、水素に富んだガス流中の硫黄を含む化合物の濃度が顕著に下がる。脱硫された水素に富んだガスはついで、第三の反応領域２１２中を通過する。この例示的な実施形態の第三の反応領域は水性ガスシフト反応触媒または上で考察したそのような触媒の混合物で充填されている。この触媒上を水素に富んだガスが通過するとさらに水素含量が強化され、一酸化炭素の濃度が減る。水素に富んだガスはついで選択的な酸化触媒を含む第四の反応領域２１４の中を通過する。そのような触媒は上で考察したように、一酸化炭素の濃度を好ましくは５０ｐｐｍ未満に減らす。いくつかの例では、空気または他の適切な酸素源を第四の反応領域に注入して、選択的な酸化反応を最適化してもよい。これは部分酸化触媒床に挿入された簡単なガス注入管（示していない）のような周知の方法によって達成される。１つの好ましい実施形態において、多孔性の管が選択的な酸化反応領域の設計に実質的に組み込まれ、注入された酸素の均一な分布が達成されるように設計されている。最終製品は水素に富んだガス２１６である。１つの好ましい例示的な実施形態において、ガラスウール、セラミックウール、岩綿または他の類似した不活性物質のような不活性であるが、多孔性で柔軟な物質を反応領域の中間部位２１８において使用してもよい。そのような物質は反応器を様々な触媒で充填するのに役立ち、輸送中の触媒の混合事故を防ぎ、異なった反応領域間にクッションまたは緩衝領域を提供する。水素に富んだガスは燃料電池または当業者に明らかな他の段階で貯蔵され使用されるのが好ましい。
【００３４】
当業者は図２の上の記載を再検討した後、それぞれのモジュールは別の操作機能を行うことを理解し、評価すべきである。フィード流Ｆ（２００）は入口パイプ（記載していない）を通って導入され、製品ガスＰ２１６は出口パイプを介して抜き出される。反応領域２０８は図１の処理工程Ａに対応した自熱改質反応領域である。始動の熱のために、反応器の入口の底に電気ヒーター（記載していない）を設置してもよい。反応領域２１０は図１の処理工程Ｃに対応した精製反応領域である。反応領域２１２は図１の処理工程Ｅに対応した水性ガスシフト反応領域である。図１の処理工程Ｆに対応した冷却段階は熱交換器２０２によって行われる。反応領域２１４は図１の処理工程Ｇに対応した酸化工程である。空気源（記載していない）は反応領域２１４の酸化反応（式Ｖ）のための処理ガスに酸素源を提供する。反応領域２１４はまた、所望の酸化反応温度を維持するために、触媒床内または周囲に置かれた熱交換器２０２を含む。当業者はこの実施形態に記載した処理の形態は、フィードストックの性質および製品に要求される品質を含むが、これらに限定されない多数の因子に応じて変わることがあることを理解し、評価すべきである。
【００３５】
本発明の第二の例示的実施形態である図３は燃料処理装置反応チャンバー４０の断面図を示す。当業者は、第一のコイル状チュービング熱交換器３０２の入口端に燃料、または替わりに燃料／酸素、または替わりに燃料／酸素／水が導入されることを理解し、評価すべきである。それぞれの熱交換器（３０２，３０４および３０６）は、互いに液体が連絡していることが好ましい。それぞれの熱交換器は実質的に燃料処理装置の長さに延在するように、燃料処理装置内に置かれる。熱交換器は燃料を予熱するとともに、様々な反応領域の温度を冷却／管理する。当業者は、燃料の流速、燃料の熱容量、任意の特定の反応領域に存在するコイル数、コイルを作るために使用したチュービングの直径、コイル上のひれの有無およびその他の多数の因子が熱移動処理に影響することを評価すべきである。しかし、そのような熱移動の要件は、日常的な計算と実験を通して最適化できる。予熱された燃料は熱交換器を離れ、反応器フィードチューブ３０８によって、第一の反応領域３１２に導かれる。反応器フィードチューブは第一の反応領域３１２への導入に先立って、燃料混合物を適切に調節し、最適化するために、流れ制御装置および類似の装置を含むことができる。この例示的な実施形態の第一の反応領域３１２は自熱改質反応触媒で充填されている。そのような触媒はペレットの形であってもよく、またはモノリス上に支持されていてもよい。ある場合は、第一の反応領域全体への燃料の均等な分布を達成するために、分布プレート３１０が必要になる可能性がある。また、燃料処理装置のスタートアップにおいて、任意に電気的予熱ヒータ（示していない）を使用してもよい。燃料が第一の反応領域で反応して、水素に富んだガスを形成した後、圧力によるガスの自然な流れは、第一の支持プレート３１４を通過し、ついで第二反応領域３１６に流入する。この例示的な実施形態において、第二の反応領域は脱硫触媒、好ましくは酸化亜鉛で充填されている。水素に富んだガスが酸化亜鉛のような脱硫触媒上を通過すると、水素に富んだガス流中の硫黄を含む化合物の濃度が顕著に下がる。第二の反応領域の温度は少なくとも部分的に第３の熱交換器３０４によって制御されている。脱硫された水素に富んだガスはついで、第二の支持プレート３１８を通過し、第三の反応領域３２０に流入する。この例示的な実施形態の第三の反応領域は水性ガスシフト反応触媒または上で考察したような触媒の混合物で充填されている。この触媒上を水素に富んだガスが通過すると、さらに水素含量が強化され、一酸化炭素の濃度が減る。第三の反応領域の温度は、少なくとも部分的に第二の熱交換器３０４によって制御されている。水素に富んだガスは、ついで第三の支持プレート３２２を通過し、選択的な酸化触媒を含む第四の反応領域３２４に入る。そのような触媒は、上で考察したように、一酸化炭素の濃度を好ましくは５０ｐｐｍ未満に減らす。いくつかの場合には、空気または他の適切な酸素源を第四の反応領域に注入して、選択的な酸化反応を最適化してもよい。これは部分酸化触媒床に挿入された簡単なガス注入管（示していない）のような周知の方法によって達成される。１つの好ましい実施形態において、多孔性の管が選択的な酸化反応領域の設計に実質的に組み込まれ、注入された酸素の均一な分布が達成されるように設計されている。この第四の反応領域の温度は少なくとも部分的に、流入燃料を予熱し、同時に反応器を出る最終製品を冷却する第一の熱交換器３０２によって制御されている。最終製品は水素に富んだガス３２６である。例示的な実施形態におけるそれぞれの反応領域はすべての隣接した反応領域から、不活性であるが多孔性の支持プレートで隔てられていることに留意すべきである。そのような支持プレートは、反応領域の中間部位に使用される反応器材料中の条件下で、堅いが比較的反応性がないことが好ましい。そのような物質は反応器を様々な触媒で充填するのに役立ち、輸送中の触媒の混合事故を防ぎ、異なった反応領域間にクッションまたは緩衝領域を提供する。水素に富んだガスは好ましくは燃料電池に使用し、または当業者に明らかな他の処理で貯蔵され使用するのが好ましい。
【００３６】
当業者は図３の上の記載を再検討した後、それぞれのモジュールは別の操作機能を行うことを理解し、評価すべきである。フィード流Ｆ（３００）は入口パイプ（記載していない）を通って導入され、製品ガスＰ３２６は出口パイプを介して抜き出される。反応領域３１２は図１の処理工程Ａに対応した自熱改質反応領域である。始動熱のために、反応器の入口の底に任意に電気ヒーター（記載していない）を設置してもよい。反応領域３１６は図１の処理工程Ｃに対応した精製反応領域である。反応領域３２０は図１の処理工程Ｅに対応した水性ガスシフト反応領域である。図１の処理工程Ｆに対応した冷却工程は、熱交換器３０４によって行われる。反応領域３２４は図１の処理工程Ｇに対応した酸化工程である。空気源（記載していない）は反応領域３２４の酸化反応（式Ｖ）のために処理ガスに酸素源を提供する。反応領域３２４はまた、所望の酸化反応温度を維持するために、触媒床内または周囲に置かれた熱交換器３２０を含む。当業者はこの実施形態に記載した処理の形態はフィードストックの性質および製品に要求される品質等の多数の因子に応じて変わるが、これらに限定されないことを評価すべきである。
【００３７】
上の開示を考慮して、当業者は、本発明は設計の基準に依存する多数の可能な例示的な実施形態を含むことを理解し、評価すべきである。そのような例示的な実施形態の１つは、炭化水素燃料フィードを水素に富んだガス流に変換するコンパクトな燃料処理装置であって、燃料処理装置組立品（アセンブリ）は、入口端と出口端を有するシリンダーであって、一連の反応領域を形成するように、直列様式で複数の触媒によって充填されているシリンダー、入口端と出口端を有する熱交換器であって、特定の反応領域によって要求される熱を供給または除去するために、シリンダーの長さに亘って内部に置かれている該熱交換器を含む。そのような例示的な実施形態内で、複数の触媒には、自熱改質触媒、脱硫触媒、水性ガスシフト触媒、選択的な酸化触媒およびこれらの触媒および類似した触媒の混合物および組み合わせが含まれる。１つの好ましい例示的な実施形態において、熱交換器は自熱改質触媒内に置かれない。例示的な燃料処理装置に使用される炭化水素燃料フィードは、シリンダーに導入されるに先立って、好ましくは熱交換器を通すことによって、または代替法として、自熱改質反応領域から１つの機能において上流に位置する燃料予熱ヒーターで、予熱される。広範囲の炭化水素燃料を使用できるが、１つの例示的な実施形態では、炭化水素燃料は、天然ガス、ガソリン、ディーゼル、燃料油、プロパン、液化石油、メタノール、エタノールまたはその他の類似し、且つ適切な炭化水素およびそれらの混合物から選ばれる。１つの例示的な実施形態において、シリンダーが、最上部にあるシリンダーの出口端に実質的に直角に向き、反応物の流れが一般的に入口端から出口端に上向きであることが好ましい。
【００３８】
当業者は本発明の他の例示的な実施形態が炭化水素燃料フィードを水素に富んだガスに変換するコンパクトな燃料処理装置であって、１つの反応チャンバー；各反応領域が反応領域内で起こる化学反応によって特徴づけられている、該反応チャンバー内の前もって定められた複数の反応領域；及び１つの入口端と１つの出口端を有する熱交換器であって、少なくとも部分的に反応チャンバー内に置かれた熱交換器からなる燃料処理装置を含むことを理解し、且つ評価すべきである。そのような例示的な実施形態の一つにおいて、第一の反応領域は自熱改質触媒を含み、第二の反応領域は脱硫触媒を含み、第三の反応領域は水性ガスシフト触媒を含み、且つ反応領域モジュールは選択的な酸化触媒を含む。そのような例示的な実施形態を考える時、熱交換器が第一の反応領域内に実質的に位置していないことが意図される。１つの例示的な実施形態では、炭化水素燃料フィードは、反応チャンバーに導入されるに先立って、熱交換器を通すことによって予熱される。代替法としては、炭化水素燃料フィード、空気および水の混合物が第一の反応領域に導入されるに先立って、熱交換器を通すことによって予熱される。広範囲の炭化水素燃料を使用できるが、１つの例示的な実施形態での炭化水素燃料は、天然ガス、ガソリン、ディーゼル、燃料油、プロパン、液化石油、メタノール、エタノールまたはその他の類似し、且つ適切な炭化水素およびそれらの混合物から選ばれる。１つの好ましい例示的な実施形態において、熱交換器の入口端は第四の反応領域にあり、出口端は第二の反応領域にある。
【００３９】
当業者は複数の反応領域の各反応領域は１つ以上の触媒を含んでもよいことを評価すべきである。そのような例示的な１つの実施形態では、触媒は自熱改質触媒、脱硫触媒、水性ガスシフト触媒、選択的な酸化触媒およびこれらの触媒および類似した触媒の混合物および組み合わせから選ばれる。２つ以上の触媒を含む特定の反応領域はいずれも隣接した反応領域から透過性のプレートで隔てられ、そのプレートはまた隣接した反応領域を支持する働きをする。１つの例示的な実施形態では、そのプレートは穴あき金属、金属スクリーン、金属メッシュ、焼結金属、多孔性セラミックスまたはこれらの物質または類似した物質の組み合わせから選ばれる。そのような例示的な実施形態では、プレートが少なくとも部分的にインコネル、カーボンスティールおよびステンレススティールから構成されていることが好ましい。
【００４０】
本発明の装置、組成および方法を好ましいまたは例示的な実施形態の観点から記載したが、当業者には本発明の理念と範囲から外れることなく、本明細書中に記載した製法に変更を加えることができることは明らかであろう。当業者に明らかなそのような類似した代替法および修正法は、請求項に規定した本発明の範囲と理念内にあると見做される。
【図面の簡単な説明】
【図１】
本発明の１つの例示的な実施形態の単純な処理フローダイアグラムである。
【図２】
本発明のコンパクトな燃料処理装置の第一の例示的な実施形態である。
【図３】
本発明のコンパクトな燃料処理装置の第二の例示的な実施形態である。
【国際公開パンフレット】
2004515444.tif 000003
2004515444.tif 000004
2004515444.tif 000005
2004515444.tif 000006
2004515444.tif 000007
2004515444.tif 000008
2004515444.tif 000009
2004515444.tif 000010
2004515444.tif 000011
2004515444.tif 000012
2004515444.tif 000013
2004515444.tif 000014
2004515444.tif 000015
2004515444.tif 000016
2004515444.tif 000017
2004515444.tif 000018
2004515444.tif 000019
2004515444.tif 000020
2004515444.tif 000021
2004515444.tif 000022
2004515444.tif 000023
2004515444.tif 000024
【国際調査報告】
2004515444.tif 000025